(57)【要約】【課題】舗装用ブロックの意匠性、透水性能などの機能を低下させることなく、目地砂の持つ透水性能、保水性能などと同等以上の機能がある目地用材料を有する舗装用ブロック、および同目地用材料を持つ路面舗装構造体を提供する。【解決手段】舗装用ブロックと、舗装用ブロックの少なくとも側面の一部を被覆している布帛とからなることを特徴とする、舗装用ブロック構造体。【選択図】  なし【特許請求の範囲】
【請求項１】
舗装用ブロックと、舗装用ブロックの少なくとも側面の一部を被覆している布帛とからなることを特徴とする、舗装用ブロック構造体。
【請求項２】
布帛が帯状、筒状あるいは箱状であり、舗装用ブロックの少なくとも周囲を包んでおり、舗装用ブロックと一体化していることを特徴とする、請求項１に記載の舗装用ブロック構造体。
【請求項３】
布帛が舗装用ブロックに接着層を介して固定されていることを特徴とする、請求項１に記載の舗装用ブロック構造体。
【請求項４】
布帛が舗装用ブロックの下部をさらに被覆していることを特徴とする、請求項１〜３のいずれかに記載の舗装用ブロック構造体。
【請求項５】
布帛が外力によって厚さ方向に容易に伸縮し、その厚さが少なくとも１〜３ｍｍの範囲内に調整することが可能であることを特徴とする、請求項１〜４のいずれかに記載の舗装用ブロック構造体。
【請求項６】
布帛は、織布、不織布、編み布から選ばれた少なくとも一種であることを特徴とする、請求項１〜５のいずれかに記載の舗装用ブロック構造体。
【請求項７】
舗装用ブロックが透水性ブロックであることを特徴とする、請求項１〜６のいずれかに記載の舗装用ブロック構造体。
【請求項８】
舗装用ブロックがセラミックブロックであることを特徴とする、請求項１〜７のいずれかに記載の舗装用ブロック構造体。
【請求項９】
舗装用ブロック間の隙間に布帛が位置していることを特徴とする、舗装路面構造体。
【発明の詳細な説明】
【０００１】
【発明の属する技術分野】
本発明は、舗装用ブロック構造体および路面構造体に関する。
【０００２】
【従来の技術】
現在、歩道などを施工する際に舗装用ブロックがよく使用される。その施工において舗装用ブロックを敷き並べた後に、目地と呼ばれる舗装用ブロック間の隙間に、舗装用ブロック同士のかみ合わせ効果を発揮させるために目地用材料を入れる。目地用材料としては一般的に砂が充填され、目地用に充填された砂は目地砂と呼ばれる。目地砂の充填作業時には、箒あるいはデッキブラシなどで舗装用ブロック表面を掃くようにしてすり込むのが一般的である。
【０００３】
しかしながら上記方法では、目地砂の充填作業時に舗装用ブロックの表面が砂によってこすられるために傷つき、表面の意匠性などの機能が損なわれてしまうという問題がある。また、目地砂の充填作業は、舗装用ブロックの施工の一工程を占め、手間がかかるといった問題もある。また、目地砂が、施工後に吹き飛ぶ、あるいは雨水などとともに流出する、などの理由により目減りし、目地用材料の量が低減し目地用材料としてのかみ合わせ効果が低減し、不陸やずれが生じやすくなるといった問題もある。また、目地砂上に草が生えてしまい、見栄えが悪くなるなどの問題点もある。舗装用ブロックが透水性ブロックである場合には、目地砂の充填作業時や施工後に、舗装用ブロック内に存在する空隙を砂が埋めてしまい、透水性能を低下させてしまうという問題もある。
【０００４】
そこで、目地用材料として砂を充填しない工法として、舗装用ブロックの側面に可撓性の帯状体を貼り付ける工法も存在する（例えば特許文献１参照）。しかし、砂の持つ透水性能、保水性能などを失わせてしまうといった問題がある。また、舗装用ブロックの側面の形状が、例えば社団法人インターロッキングブロック舗装技術協会による「インターロッキングブロック舗装設計施工要領」によるインターロッキングブロックの長方形波形タイプのようにジグザグした複雑な形状である場合、撓みだけでは形状を追随するのが難しいといった問題もある。また、舗装用ブロックにサイズばらつきがある際には目地の幅にもばらつきが生じるが、目地の幅方向の伸縮性がないか大変少ないため、そのばらつきに対応しにくいといった問題もある。
【０００５】
【特許文献１】
特開平９−２５６３１２号公報
【０００６】
【発明が解決しようとする課題】
本発明は、このような施工時、施工後の問題点に対して、舗装用ブロックの意匠性、透水性能などの機能を低下させることなく、目地砂の持つ透水性能、保水性能などと同等以上の機能がある目地用材料を有する舗装用ブロック、および同目地用材料を持つ路面舗装構造体を提供しようとするものである。
【０００７】
【課題を解決するための手段】
本発明は、このような課題を解決するために、次のような手段を採用するものである。すなわち、本発明は、舗装用ブロックと、舗装用ブロックの少なくとも側面の一部を被覆している布帛とからなることを特徴とする舗装用ブロック構造体にを提供する。また、舗装用ブロック間の隙間に布帛が位置していることを特徴とする舗装路面構造体を提供する。
【０００８】
【発明の実施の形態】
以下、本発明の実施の形態について説明する。
【０００９】
本発明の第１の形態である舗装用ブロック構造体は、舗装用ブロックと、舗装用ブロックの少なくとも側面の一部を被覆している布帛とからなる。舗装用ブロック製造工場で舗装用ブロックへの布帛の被覆工程を行えば、舗装用ブロック製造工場から施工現場へなど、輸送の際に、布帛のクッション性により舗装用ブロックを割れにくくすることができる。また、製造工場での梱包時あるいは施工現場での施工時など、人間が取り扱う際に、舗装用ブロックの角などで体を傷つけたりする事例を減少することができる。また、舗装用ブロックの側面を被覆している布帛は、施工時に改めて取り付ける必要がなくそのまま目地用材料の役割を果たすことができ、舗装用ブロック構造体を敷き並べるだけで目地用材料が入れられた状態となるため、施工が非常に簡易となる。ただし、施工現場で布帛を取り付けることを否定するものではない。また、すべての目地に布帛が入れられる構成にすれば、目地用材料として砂を省略することもできるので、施工時に舗装用ブロックの表面を傷つけることもなく、施工後も目地用材料が飛散や流出などにより目減りする問題は起こらない。
【００１０】
本発明の第１の形態に使用される布帛は、布帛が帯状、筒状あるいは箱状であり、舗装用ブロックの少なくとも周囲を包んでおり、舗装用ブロックと一体化していることが好ましい。帯状とは、舗装用ブロックの周囲を包むことができる長方形に数ｍｍの厚さがある形状であり、帯状の布帛と舗装用ブロックとの一体化の方法としては、舗装用ブロックの側面周囲に巻き付けて端部同士を接着することで舗装用ブロックを包む方法などが挙げられる。筒状とは、帯状物の端部同士がくっついているような形状であり、そのままかぶせることで舗装用ブロックと一体化するサイズのものである。箱状の布帛とは、舗装用ブロックの側面と底面がそのまま覆い被さるような立体的な形状により舗装用ブロックと一体化するような布帛であり、帯状の布帛を組み合わせたり、編み布により作り上げられたりすることで作製する。
【００１１】
あるいは、本発明の第１の形態に使用される布帛は、接着層を介して舗装用ブロックに固定されていることが好ましい。例えば、熱により布帛の表面を溶かした後にその溶かした面を舗装用ブロックと付着させるといった方法がある。その他にも、接着剤や両面テープなど、他の接着用物質を利用する方法がある。特に側面が複雑な形状である場合には、布帛が接着層を介して舗装用ブロックに固定されているのが好ましい。布帛は少なくとも側面の一部を被覆していればよく、必ずしも全側面を被覆しなくてもよい。
【００１２】
本発明の第１の形態に使用される布帛は、舗装用ブロックの側面に加えて下部も被覆しているのが好ましい。施工の際に、通常舗装用ブロックの下部にはサンドクッション層を用いるが、下部が布帛により被覆されていると、その布帛がサンドクッション層の置き換わりとして用いることが可能となるため、舗装用ブロックの施工工程うちのクッション砂の敷き均し・転圧の工程を減らすことができる。下部の布帛の被覆方法には、接着層を介して固定する方法や、上記の箱状の布帛によって被覆する方法などが挙げられる。
【００１３】
本発明の第１の形態に使用される布帛は、外力によって厚さ方向に容易に伸縮し、厚さが少なくとも１〜３ｍｍの範囲内に調整することが可能であることが好ましい。布帛にクッション性能がある場合には、施工時に布帛の厚さを低減させながら舗装用ブロックを設置することができるため、布帛の元の厚さは１〜３ｍｍより若干厚くてもよいが、圧縮して１〜３ｍｍに調整することが可能であればよい。機械的に強い圧力をかけて布帛の厚さを調整する訳ではないので、指でつまんで圧縮された時の厚さが実施工の圧縮時の目安となる。上記「インターロッキングブロック舗装設計施工要領」によれば、標準目地幅は２〜３ｍｍに設定されており、つまり、目地用材料の幅も２〜３ｍｍにする必要がある。舗装用ブロックの側面すべてに布帛が固定されている場合は、施工後の目地には布帛が２枚分重なることとなるため、布帛の厚さは１〜１．５ｍｍの範囲に調整することが可能であればよい。しかし、これらはあくまで標準目地幅に整えた場合の話であって、舗装用ブロックには寸法の許容幅があるため、その舗装用ブロックの寸法の許容幅を吸収するために、想定目地幅の最大値は３ｍｍよりも大きく考えておく必要がある。寸法の許容幅は上記「インターロッキングブロック舗装設計施工要領」によれば５ｍｍ、ＪＩＳ  Ａ５３７１「プレキャスト無筋コンクリート製品」附属書２舗装用平板によれば６ｍｍであるが、見た目や、目地幅が開きすぎることによる通行時の不具合などがあるため従来の施工時にも舗装用ブロックの寸法が近いものを隣接して配置するようにしていることなどから考えると、目地幅は６ｍｍ以内が好ましい。よって、布帛の厚さは１〜３ｍｍの厚さに調整されることが可能であればよい。
【００１４】
本発明の第１の形態に使用される布帛は、織布、不織布、編み布から選ばれた少なくとも一種であるのが好ましい。これによって、砂と同等の保水性能、吸水性能を持つことができる。特に編み布を使用するのがこれらの性能を発現しやすく好ましい。
【００１５】
本発明の第１の形態に使用される舗装用ブロックは、透水性ブロックであることが好ましい。透水性ブロックとは、上記「インターロッキングブロック舗装設計施工要領」によれば透水係数が１．０×１０−２ｃｍ／ｓｅｃ以上であると定義されている。透水係数とは、ＪＡＳＳ  ７  Ｍ１０１中の「インターロッキングブロックの透水性能試験方法」により測定することができる。透水性ブロックは、舗装用ブロックに貫通孔を設けたり、数ｍｍ程度の粒度を持つ骨材をバインダを介して結合することで連続空隙を設けたりすることで作製することができる。舗装用ブロックに透水性があれば、雨天時に地面に滞留する雨水を舗装用ブロック中に吸収させ、水たまりの発生を防止することができ、表面に付着する水の量を低減させることができる。これにより、歩行者が滑らず安心して歩行できる。また、空隙径を適当な範囲、例えば０．１〜１ｍｍ程度に調整すれば、舗装用ブロック内部の骨材による表面張力による保水性能も持たせることができる。保水性能があれば、晴天時に水が蒸発し潜熱が奪われることで特に夏場の温度低減性能を発現し、ヒートアイランド現象への対策にもなる。また、布帛が目地砂と同等の透水性能、保水性能を有していれば、雨天時の軒下の様に雨水が流入する舗装用ブロックが偏っている際に、横透水することで水があふれるのを防ぐことができたり、晴天時の舗装用ブロックの保水を助けたりすることができる。
【００１６】
本発明の第１の形態に使用される舗装用ブロックの種類としては、コンクリート系、セラミック系などに大別できる。セメント系ブロックではセメント中の石灰と空気中の炭酸ガスとの白い反応生成物がブロック表面に現れる白華現象が発生しやすく、白華現象が起こるとブロック表面が汚れたように見えてしまうが、セラミック系ブロックは白華現象が起こらず、また経年耐久性に優れるため好ましい。
【００１７】
本発明の第２の形態である舗装路面構造体は、舗装用ブロック間の隙間に布帛が位置している。この布帛は目地用材料として使用されるもので、従来の目地砂に比べて、飛散や流出などによる目地用材料の減少は起こらない。また、従来の可撓性材料に比べて、目地用材料の透水性能、保水性能などの機能が目地砂と同等以上である。この構造体は、布帛で被覆されていない舗装用ブロックを用いて、舗装用ブロック敷き並べの際に側面のサイズにあった布帛を置くことで施工されてもよいし、本発明の第１の形態の舗装用ブロックを用いて施工されてもよい。施工時の簡便性を考えるならば、本発明の第１の形態の舗装用ブロックを用いて施工されるのが好ましい。
【００１８】
【実施例】
以下の実施例によって本発明を詳しく説明する。なお、本発明はこれらに限定されるものではない。
＜実施例１＞
舗装用ブロック製造工場にて、舗装用ブロックの周囲に布帛を貼り付け、舗装用ブロック構造体とした。舗装用ブロックとしては、インターロッキングブロックを用いた。インターロッキングブロックとしては、コンクリート系の長方形波形タイプのものを用い、その寸法は２２２ｍｍ×１０９．５ｍｍ×６０ｍｍ厚であった。布帛としては、東レ製ポリエステルスパンボンド不織布の“マントル”（Ｒ）のＤ５２００を用いた。舗装用ブロックの側面にあらかじめ両面テープを貼り付けておき、６０ｍｍ幅に切りそろえた布帛を貼り付けたところ、隙間なく貼り付けることができた。この布帛は厚さが２．２ｍｍであり、指でつまむと１．４ｍｍに押し縮められた。
【００１９】
この舗装用ブロック構造体は、布帛で覆われているため、角などでひっかけて体を傷つけたりすることはなく、取り扱いが容易となった。また、９段積みで１パレット当たり３２４個の舗装用ブロック構造体を積んだパレットを５０セット、製造工場から施工現場へ輸送する際に、舗装用ブロック構造体は１つも割れなかった。
【００２０】
この舗装用ブロック構造体を用いて、歩道の施工を行い、舗装路面構造体とした。この舗装用ブロックを用いると、従来の施工工程に比べて、目地砂を充填する工程を省略した分、工期が短縮された。また、舗装用ブロックの表面が傷つくこともなかった。また、施工が終わって３年後に観察しても、目地用材料である布帛は目減りしなかった。
＜実施例２＞
施工現場において、舗装用ブロックの周囲に布帛を固定し、舗装用ブロック構造体とした。舗装用ブロックとしては、透水性セラミックブロックを用いた。透水性セラミックブロックとしては、東レ製磁器質セラミック舗装材の“トレスルー”（Ｒ）を用い、その寸法は２９７ｍｍ×２９７ｍｍ×６０ｍｍ厚であった。透水係数は５×１０−２ｃｍ／ｓｅｃであった。布帛としては、フィラメント数７２本で８４デシテックスのポリエステル繊維をフロントに、フィラメント数１２本で３３デシテックスのポリエステル繊維をバックに用いてトリコット編成したもので、舗装用ブロックが収まる形状に編まれたものを用いた。その布帛に舗装用ブロックを収めると、舗装用ブロックの上面以外の部分はすべて布帛に覆われた。その布帛は厚さが１．８ｍｍであり、指でつまむと１．４ｍｍに押し縮められた。
【００２１】
この舗装用ブロック構造体は、布帛で覆われているため、角などでひっかけて体を傷つけたりすることはなく、取り扱いが容易となった。
【００２２】
この舗装用ブロック構造体を用いて、歩道の施工を行い、舗装路面構造体とした。従来の施工工程に比べて、目地砂を充填する工程を省略した分、舗装用ブロックの表面が傷つくことはなく、トレスルーの意匠性は施工時には完全に維持された。また、施工が終わって３年後に観察しても、目地用材料である布帛は目減りしなかった。また、雨天時に一部の舗装用ブロックに雨水が集中することもなく、スムーズな透水が行われていた。
＜実施例３＞
実施例２で用いたのと同様の“トレスルー”（Ｒ）を舗装用ブロックとして用いて、歩道の施工を行い、舗装路面構造体とした。舗装用ブロックを敷き並べる際、“マントル”（Ｒ）のＤ５２００を２９７×６０ｍｍのサイズに切りそろえたものを舗装用ブロックの側面すべてに両面テープを用いて付着させた。従来の施工工程に比べて、目地砂を充填する工程を省略した分、舗装用ブロックの表面が傷つくことはなかった。また、施工が終わって３年後に観察しても、目地用材料である布帛は目減りしなかった。また、雨天時に一部の舗装用ブロックに雨水が集中することもなく、スムーズな透水が行われていた。
＜比較例１＞
実施例１で用いたのと同様のコンクリート系インターロッキングブロックの長方形波形タイプである舗装用ブロックを用いて、歩道の施工を行い、舗装路面構造体とすることとした。この舗装用ブロックの９段積みのパレット輸送時に、パレット当たり平均１個の割れが生じた。また、目地砂充填作業時にブロックの表面が傷つき、意匠性が若干失われてしまった。また、施工が終わって３日後に雨が降り、目地砂は５％程度流出してしまった。また、２ヶ月後に観察したところ、目地砂は３０％程度減少していた。そのため、舗装用ブロック同士のかみあわせが悪くなり、１年後に観察したところ不陸が起きており、メンテナンスを行うこととなった。
【００２３】
【発明の効果】
以上説明したように、舗装用ブロック構造体を舗装用ブロックと舗装用ブロックの少なくとも側面の一部を被覆している布帛から構成すると、舗装用ブロック構造体を敷き並べるだけで布帛が目地用材料として働く状態になるため、施工が非常に簡易となる。また、全ての目地に布帛が入れられる構成とすれば、施工時に舗装用ブロックを傷つけることもなく、施工後も目地用材料が目減りする問題も起こらない。また、布帛を舗装用ブロックの周囲に包んで一体化させたり、布帛を舗装用ブロックに接着層を介して固定させたりすると、運搬時や施工取り扱い時などに布帛が舗装用ブロックと別々になってしまうのを防ぐことができる。また、布帛を舗装用ブロックの下部もさらに被覆させると、サンドクッション層の置き換わりとなることができ、施工が非常に簡易となる。また、布帛の厚さを少なくとも１〜３ｍｍの範囲内に調整することが可能である構成にすると、舗装用ブロックのサイズばらつきを吸収しながら目地を調整することが可能となる。また、布帛を、織布、不織布、編み布から選ぶと、従来の目地砂と同等の保水性能、吸水性能を持つことができる。また、舗装用ブロックとして透水性ブロックを用いると、雨天時に地面に滞留する雨水をブロック中に吸水させ、水たまりの発生を防止することができる。また、舗装用ブロックとしてセラミックブロックを用いると、経年耐久性等をコンクリート系に比べて持たせることができる。
【００２４】
また、舗装路面構造体として、舗装用ブロック間の隙間に布帛が位置していると、従来の目地砂に比べて目地材料の減少は起こらず、従来の可撓性材料に比べて目地砂と同等以上の透水性能や保水性能を持たせることができる。